(57)【要約】【課題】  測定条件に応じて供試体台を移動させても脚部をターンテーブルに収めることができる供試体台を提供する。【解決手段】  供試体台１０は、天板１１、脚部１７等によって構成される。天板１１の下面１１Ｂには後方に引出し可能な引出し部１３が設けられ、引出し部１３の下面１３Ｂに円弧状の回転移動ガイド１６が設けられる。脚部１７は、天板１１の左，右両側に設けられる。各脚部１７は、前側回転部１９と後側固定部２０からなる下側脚部１８と、後側回転部２８と前側移動部２９からなる上側脚部２７とによって構成される。天板１１を後方に移動させるときには、下側脚部１８に対して、上側脚部２７および天板１１を後方に移動させる。このとき、後側回転部２８と前側回転部１９を天板１１の中心側に向けて回転移動させる。【選択図】        図２
2013088175.tif 000002
【特許請求の範囲】
【請求項１】
前，後方向および左，右方向に広がる天板と、該天板の左，右方向の両側に配設され該天板を支持する左，右の脚部とを備えた供試体台において、
前記各脚部は、下側脚部と、該下側脚部の上側に位置して該下側脚部に対して前，後方向に移動可能に取付けられた上側脚部とによって構成され、
前記天板は、前記上側脚部と共に前，後方向に移動可能となり、
前記上側脚部は、後側に位置して前記天板の中心側に向けて回転移動可能な後側回転部を備え、
前記下側脚部は、前側に位置して前記天板の中心側に向けて回転移動可能な前側回転部を備える構成としたことを特徴とする供試体台。
【請求項２】
前記天板の下面側には、前記上側脚部の後側回転部と共に前，後方向に移動可能な引出し部を設け、
該引出し部には、前記後側回転部の回転移動をガイドする回転移動ガイドを設け、
前記上側脚部は、前記後側回転部に加え、前記後側回転部の前側に位置して前記天板に取付けられ前記下側脚部に対して前，後方向に移動可能な前側移動部を備える構成としてなる請求項１に記載の供試体台。
【請求項３】
前記下側脚部と前記上側脚部との間には、前記下側脚部に対して前記上側脚部が前，後方向に移動可能な状態で互いに係合する係合機構を設け、
該係合機構は、前記上側脚部の後側回転部が前記下側脚部に対して後方に移動して所定の後部位置に配置されたときに、前記後側回転部と前記下側脚部とが非係合状態となり、前記後側回転部が回転移動可能となる構成としてなる請求項１または２に記載の供試体台。
【請求項４】
前記後側回転部には、前側に位置して上，下方向に移動可能な係合ピンを設け、
前記下側脚部には、前記後側回転部が前記後部位置に配置されたときに、前記係合ピンが挿入される係合穴を設け、
前記後側回転部は、前記係合穴に挿入された係合ピンを支点として回転移動する構成としてなる請求項３に記載の供試体台。
【請求項５】
前記下側脚部は、前記前側回転部に加え、前記前側回転部の後側に位置した後側固定部を備え、
該後側固定部と前記前側回転部とには、これらが前，後方向に並んだ状態で前記前側回転部の回転移動を規制する回転規制部を設ける構成としてなる請求項１ないし４のいずれかに記載の供試体台。
【発明の詳細な説明】
【技術分野】
【０００１】
本発明は、供試体（被測定物）の電磁計測を行うときに用いて好適な供試体台に関する。
【背景技術】
【０００２】
一般に、各種の電子機器に対するノイズ測定（電磁計測）を行うときには、被測定物となる電気機器等を机形状の供試体台に載置した状態でノイズ測定を行う。この供試体台は、電磁波の反射が少ない材料を用いて形成され、平板状の天板と、該天板を支持する脚部とによって構成されている（例えば、特許文献１参照）。特許文献１に記載された供試体台では、天板はハニカム状または発泡体からなる絶縁体を用いて形成されると共に、この天板に脚部が一体に形成されている。
【先行技術文献】
【特許文献】
【０００３】
【特許文献１】特開平７−２７０４６８号公報
【発明の概要】
【発明が解決しようとする課題】
【０００４】
ところで、放射エミッション測定用の電波無響室には、供試体（以下、ＥＵＴという）を回転させるためのターンテーブルと、測定用アンテナを上，下方向に走査させるためのアンテナポジショナとが設けられている。放射エミッションの測定時には、ターンテーブル上に供試体台が配置されると共に、供試体台の天板上にＥＵＴが載置される。この状態で、ＥＵＴから一定の測定距離だけ離れた測定用アンテナを上，下方向に走査したり、ターンテーブルを回転させながら、ＥＵＴからの最大放射ノイズを測定する。
【０００５】
ここで、例えばＣＩＳＰＲ（Comite International Special des Perturbations Radioelectriques）のような放射エミッションの測定規格によれば、供試体台は、次の２つの測定条件で配置する必要がある。即ち、（Ａ）ターンテーブルの回転中心上に天板の中心を合わせる、または（Ｂ）ターンテーブルの回転中心上に天板の前縁を合わせるように、供試体台を配置する必要がある。
【０００６】
一方、測定規格であるＣＩＳＰＲ２２では、供試体台の天板の大きさが縦方向に１．５ｍで横方向に１．０ｍに決められている。これに加え、電波無響室の小型化等を図るために、ターンテーブルも例えば直径が１．５ｍ程度のようにできるだけ小さいものが使用されることがある。この場合、ＣＩＳＰＲ２２に応じた供試体台で、上述した２つの測定条件（Ａ），（Ｂ）で放射エミッションを測定しようとすると、供試体台の脚部がターンテーブルからはみ出し、ターンテーブルを回転させることができなくなる。この結果、２つの測定条件（Ａ），（Ｂ）に応じて、別個の供試体台が必要になるという問題がある。
【０００７】
本発明は上述した従来技術の問題に鑑みなされたもので、本発明の目的は、測定条件に応じて供試体台を移動させても脚部をターンテーブルに収めることにある。
【課題を解決するための手段】
【０００８】
上述した課題を解決するために請求項１の発明は、前，後方向および左，右方向に広がる天板と、該天板の左，右方向の両側に配設され該天板を支持する左，右の脚部とを備えた供試体台において、前記各脚部は、下側脚部と、該下側脚部の上側に位置して該下側脚部に対して前，後方向に移動可能に取付けられた上側脚部とによって構成され、前記天板は、前記上側脚部と共に前，後方向に移動可能となり、前記上側脚部は、後側に位置して前記天板の中心側に向けて回転移動可能な後側回転部を備え、前記下側脚部は、前側に位置して前記天板の中心側に向けて回転移動可能な前側回転部を備える構成としたことを特徴としている。
【０００９】
請求項２の発明では、前記天板の下面側には、前記上側脚部の後側回転部と共に前，後方向に移動可能な引出し部を設け、該引出し部には、前記後側回転部の回転移動をガイドする回転移動ガイドを設け、前記上側脚部は、前記後側回転部に加え、前記後側回転部の前側に位置して前記天板に取付けられ前記下側脚部に対して前，後方向に移動可能な前側移動部を備える構成としている。
【００１０】
請求項３の発明では、前記下側脚部と前記上側脚部との間には、前記下側脚部に対して前記上側脚部が前，後方向に移動可能な状態で互いに係合する係合機構を設け、該係合機構は、前記上側脚部の後側回転部が前記下側脚部に対して後方に移動して所定の後部位置に配置されたときに、前記後側回転部と前記下側脚部とが非係合状態となり、前記後側回転部が回転移動可能となる構成としている。
【００１１】
請求項４の発明では、前記後側回転部には、前側に位置して上，下方向に移動可能な係合ピンを設け、前記下側脚部には、前記後側回転部が前記後部位置に配置されたときに、前記係合ピンが挿入される係合穴を設け、前記後側回転部は、前記係合穴に挿入された係合ピンを支点として回転移動する構成としている。
【００１２】
請求項５の発明では、前記下側脚部は、前記前側回転部に加え、前記前側回転部の後側に位置した後側固定部を備え、該後側固定部と前記前側回転部とには、これらが前，後方向に並んだ状態で前記前側回転部の回転移動を規制する回転規制部を設ける構成としている。
【発明の効果】
【００１３】
請求項１の発明によれば、天板は上側脚部と共に前，後方向に移動可能となるから、天板を前，後方向に移動させることによって、天板の中心をターンテーブルの回転中心上に合わせた状態から、天板の前縁をターンテーブルの回転中心上に合わせた状態に変更することができる。
【００１４】
また、上側脚部は、後側に位置して天板の中心側に向けて回転移動可能な後側回転部を備える構成とした。このため、上側脚部が天板と共に前，後方向に移動して、脚部の後側がターンテーブルからはみ出すときでも、後側回転部を天板の中心側に向けて回転移動させることによって、上側脚部をターンテーブルの範囲内に収めることができる。
【００１５】
さらに、下側脚部は、後側に位置して天板の中心側に向けて回転移動可能な前側回転部を備える構成とした。このため、上側脚部が天板と共に前，後方向に移動して、下側脚部の前側が天板よりも前方にはみ出すときでも、前側回転部を天板の中心側に向けて回転移動させることによって、下側脚部を天板の範囲内に収めることができる。
【００１６】
これにより、測定条件に応じて天板を前，後方向に移動させることができると共に、天板の中心をターンテーブルの回転中心上から位置ずれさせたときでも、左，右の脚部をターンテーブルの範囲内に収めることができる。このため、単一の供試体台を用いて、２つの測定条件で放射エミッション等を測定することができる。
【００１７】
請求項２の発明によれば、天板の下面側には、上側脚部の後側回転部と共に前，後方向に移動可能な引出し部を設けたから、上側脚部の後側回転部と引出し部を天板および前側移動部とは別個に前，後方向に移動させることができる。このため、例えば天板から引出し部が後方に引き出された状態となるように、上側脚部の後側回転部を移動させることができ、この状態で引出し部の下側で回転移動ガイドに沿って後側回転部を回転移動させることができる。
【００１８】
これにより、天板から引き出された引出し部の下側で後側回転部を回転移動させることができるから、例えば天板上にＥＵＴが載置された状態であっても、後側回転部に作用するＥＵＴや天板の重量の影響を小さくすることができ、後側回転部を容易に回転移動させることができる。また、後側回転部の回転移動が終了した後に、天板および前側移動部を前，後方向に移動させることができ、後側回転部と一緒に移動させる場合に比べて、ＥＵＴの位置ずれを抑えることができる。
【００１９】
請求項３の発明によれば、下側脚部と上側脚部との間には係合機構を設けたから、係合機構によって後側回転部の回転移動を規制した状態で、後側回転部を前，後方向に移動することができる。また、係合機構は、上側脚部の後側回転部が下側脚部に対して後方に移動して所定の後部位置に配置されたときに、後側回転部と下側脚部とが非係合状態となるから、この状態で後側回転部を天板の中心側に向けて回転移動させることができる。
【００２０】
請求項４の発明によれば、後側回転部には係合ピンを設けると共に、下側脚部には、後側回転部が所定の後部位置に配置されたときに、係合ピンが挿入される係合穴を設けたから、後側回転部は、係合穴に挿入された係合ピンを支点として回転移動させることができる。
【００２１】
請求項５の発明によれば、下側脚部は前側回転部と後側固定部とを備え、前側回転部と後側固定部とには回転規制部を設ける構成とした。このため、回転規制部によって前側回転部と後側固定部とが前，後方向に並んだ状態で前側回転部の回転移動を規制することができると共に、このように前側回転部と後側固定部とが前，後方向に並んだ状態でこれらに沿って上側脚部を前，後方向に移動させることができる。
【図面の簡単な説明】
【００２２】
【図１】実施の形態による供試体台を電波無響室内に配置した状態を示す説明図である。
【図２】図１の供試体台を単体で示す斜視図である。
【図３】図２の供試体台を分解して示す分解斜視図である。
【図４】供試体台を図５の矢示IV−IV方向からみた断面図である。
【図５】図２の供試体台を示す右側面図である。
【図６】供試体台の引出し部を後方に引き出した状態を示す斜視図である。
【図７】供試体台を図８の矢示VII−VII方向からみた断面図である。
【図８】図６の供試体台を示す右側面図である。
【図９】係合ピン等を図８の矢示IX−IX方向からみた拡大断面図である。
【図１０】第１，第２の回転規制機構を図８の矢示Ｘ−Ｘ方向からみた拡大断面図である。
【図１１】供試体台の後側回転部を回転移動させた状態を示す斜視図である。
【図１２】供試体台を図１３の矢示XII−XII方向からみた断面図である。
【図１３】図１１の供試体台を示す右側面図である。
【図１４】供試体台の天板を後方に移動させた状態を示す斜視図である。
【図１５】供試体台を図１６の矢示XV−XV方向からみた断面図である。
【図１６】図１４の供試体台を示す右側面図である。
【図１７】供試体台の前側回転部を回転移動させた状態を示す斜視図である。
【図１８】供試体台を図１９の矢示XVIII−XVIII方向からみた断面図である。
【図１９】図１７の供試体台を示す右側面図である。
【発明を実施するための形態】
【００２３】
以下、本発明の実施の形態による電磁計測用の供試体台を添付図面に従って詳細に説明する。なお、説明の便宜上、Ｘ軸方向を前，後方向とし、Ｙ軸方向を左，右方向とし、Ｚ軸方向を上，下方向とする。
【００２４】
図において、電波無響室１は、例えば前，後，左，右の壁面１Ａおよび天井面１Ｂに電波吸収体２が設けられる。この電波無響室１の内部には、電磁計測用のアンテナ３がアンテナポジショナ４によって上，下方向等に変位可能に設けられる。また、電波無響室１の床面１Ｃには、後述する供試体台１０が載置されるターンテーブル５が設けられる。このターンテーブル５は、Ｚ軸方向に延びる軸線Ｏ−Ｏを中心として水平状態で回転する。供試体台１０上にはＥＵＴ６が載置されると共に、供試体台１０の前方にはアンテナ３が配置される。なお、床面１Ｃにも電波吸収体２を設ける構成としてもよい。
【００２５】
供試体台１０は、図２ないし図１９に示すように、後述の天板１１、脚部１７等によって構成される。また、供試体台１０は、天板１１、脚部１７等を含めた全体が、比誘電率が１に近い非導電性材料として例えば硬質発泡体等を用いて形成される。
【００２６】
天板１１は、例えば四角形の平板状に形成され、前，後方向（Ｘ軸方向）および左，右方向（Ｙ軸方向）に広がる。天板１１は、所定の厚みを持って形成され、ＥＵＴ６が載置される平坦な上面１１Ａと、脚部１７によって支持される下面１１Ｂと、前縁をなす前側面１１Ｃと、後縁をなす後側面１１Ｄと、左側面１１Ｅと、右側面１１Ｆとを備える。
【００２７】
天板１１の下面１１Ｂには、左，右方向に離間して前，後方向に並行に延びる２本のスライドガイド１２が形成される。スライドガイド１２は、例えば天板１１の下面１１Ｂに凹陥された細長い溝によって形成され、後側面１１Ｄ側が開放される。
【００２８】
引出し部１３は、天板１１よりも前，後方向の長さが短い四角形の平板状に形成され、天板１１の下面１１Ｂ側に位置して、前，後方向（Ｘ軸方向）に移動可能に設けられる。引出し部１３は、天板１１と脚部１７の後側回転部２８との間に挟持され、後側回転部２８と一緒に天板１１の後方に引き出される。
【００２９】
また、引出し部１３の上面１３Ａには、天板１１のスライドガイド１２に係合する２本のガイド突起１４が取付けられる。ガイド突起１４は、前，後方向に延びる細長い突起によって形成され、スライドガイド１２に挿入される。そして、ガイド突起１４は、スライドガイド１２と共に、引出し部１３を前，後方向にスライド移動可能に案内する天板係合機構１５を構成する。
【００３０】
天板係合機構１５により、引出し部１３は、スライドガイド１２に沿って前，後方向に移動し、天板１１の下面１１Ｂに全体が覆われた位置と、スライドガイド１２に沿って天板１１の後方に引き出された位置との間を移動する。
【００３１】
引出し部１３の下面１３Ｂには、２本の回転移動ガイド１６が設けられる。これら２本の回転移動ガイド１６は、左，右方向（Ｙ軸方向）に離間すると共に、例えば略９０度の角度範囲をもった円弧形状をなしている。このため、各回転移動ガイド１６は、一端側が引出し部１３の後部側で例えばガイド突起１４の下側に位置し、他端側が引出し部１３の前部側で引出し部１３の左，右方向の中央付近に位置している。また、各回転移動ガイド１６は、例えば引出し部１３の下面１３Ｂに凹陥された細長い溝によって形成され、後側回転部２８の回転移動をガイドする。
【００３２】
脚部１７は、左，右方向（Ｙ軸方向）に離間して天板１１の下面１１Ｂ側に設けられる。これら２つの脚部１７は、天板１１の左，右方向の両側にそれぞれ配設され、天板１１を支持する。各脚部１７は、ターンテーブル５に設置される下側脚部１８と、下側脚部１８の上側に位置して下側脚部１８に対して前，後方向（Ｘ軸方向）に移動可能に取付けられた上側脚部２７とによって構成される。
【００３３】
なお、左側の脚部１７と右側の脚部１７とは、左，右対称な構成となる。このため、以下では右側の脚部１７を例に挙げて説明するが、左側の脚部１７も右側の脚部１７とほぼ同様な構成となる。
【００３４】
下側脚部１８は、前側に位置して天板１１の中心側に向けて回転移動可能な前側回転部１９と、前側回転部１９の後側に位置してターンテーブル５に固定される後側固定部２０とを備える。前側回転部１９および後側固定部２０は、いずれも細長いブロック体であり、例えば断面四角形の角柱状に形成される。前側回転部１９の後端部と後側固定部２０の前端部とは、連結部２１によって連結される。後側固定部２０の前端部には、左，右方向の内側（右側の後側固定部２０では左側）に位置して、前側回転部１９との干渉を防止するための円弧状の切欠きが設けられる。これにより、前側回転部１９は、連結部２１を支点として左，右方向の内側に向けて回転可能となる。
【００３５】
前側回転部１９と後側固定部２０とには、これらが前，後方向に並んだ状態で前側回転部１９の回転変位を規制する第１の回転規制部２２が設けられる。図１０に示すように、第１の回転規制部２２は、例えば後側固定部２０のうち左，右方向の外側（右側の後側固定部２０では右側）に位置して前端部から前側に突出した突起２２Ａと、前側回転部１９の後端部に凹陥され突起２２Ａが挿入可能な切欠き２２Ｂとによって構成される。
【００３６】
そして、前側回転部１９と後側固定部２０とが略直線状に並んだときには、突起２２Ａが切欠き２２Ｂ内の端面に接触する。これにより、第１の回転規制部２２は、前側回転部１９と後側固定部２０とが略直線状に並んだ状態を越えて、前側回転部１９が回転移動するのを規制する。
【００３７】
一方、前側回転部１９と後側固定部２０とが略直線状に並んだ状態から、前側回転部１９が天板１１の中心側に向けて回転移動すると、突起２２Ａは切欠き２２Ｂから離れて、回転移動の規制が解除される。
【００３８】
また、前側回転部１９と後側固定部２０とには、これらが略直交した状態で回転変位を規制する第２の回転規制部２３が設けられる。第２の回転規制部２３は、例えば後側固定部２０のうち左，右方向の内側（右側の後側固定部２０では左側）に位置して前，後方向（Ｘ軸方向）の途中位置から突出した突起２３Ａと、前側回転部１９の後端部で突起２３Ａに接触可能な接触端面２３Ｂとによって構成される。
【００３９】
そして、前側回転部１９と後側固定部２０とが略直交した状態に屈曲したときには、突起２３Ａが接触端面２３Ｂに接触する。これにより、第２の回転規制部２３は、前側回転部１９と後側固定部２０とが略直交した状態を越えて、前側回転部１９が回転移動するのを規制する。
【００４０】
一方、前側回転部１９と後側固定部２０とが略直交した状態から、前側回転部１９が前側に向けて回転移動すると、突起２３Ａは接触端面２３Ｂから離れて、回転移動の規制が解除される。
【００４１】
図２ないし図８に示すように、前側回転部１９および後側固定部２０の上面には、ガイド溝２４，２５が形成されている。これらのガイド溝２４，２５は、前側回転部１９および後側固定部２０が略直線状に並んだときに、連続した１本の長溝となり、上側脚部２７を前，後方向（Ｘ軸方向）にスライド移動可能に案内する。ここで、前側回転部１９のガイド溝２４は、前側回転部１９の前端側で閉塞され、後端側で開放されている。一方、後側固定部２０のガイド溝２５は、前，後方向の両端側がいずれも開放されている。また、ガイド溝２５の底面には、後側固定部２０のうち予め決められた所定の後部位置に略円形の係合穴２６が形成される。
【００４２】
上側脚部２７は、後側に位置して天板１１の中心側に向けて回転移動可能な後側回転部２８と、後側回転部２８の前側に位置して天板１１に取付けられ下側脚部１８に対して前，後方向（Ｘ軸方向）に移動可能な前側移動部２９とを備える。後側回転部２８および前側移動部２９は、例えば平板状に形成されると共に、下側脚部１８に載置可能となるように所定の厚みを有する。具体的には、後側回転部２８および前側移動部２９は、下側脚部１８のガイド溝２４，２５の溝幅よりも大きな厚みを有する。
【００４３】
後側回転部２８は、下側脚部１８と引出し部１３とに挟まれ、引出し部１３を水平状態に支持する。また、後側回転部２８の前方下側には、下側脚部１８が収容可能な略四角形の下側脚部収容部３０が形成される。後側回転部２８の後方下側には、下側脚部１８と略同じ高さ寸法をもって垂下した後端支持部３１が設けられる。そして、後側回転部２８は、下側脚部収容部３０の下面が下側脚部１８の上面に接触すると共に、後端支持部３１の底面がターンテーブル５に接触する。これにより、後側回転部２８は、前端部が下側脚部１８によって支持されると共に、後端部が後端支持部３１によって支持される。
【００４４】
後側回転部２８の下側脚部収容部３０の下面には、ガイド突起３２が設けられる。ガイド突起３２は、下側脚部収容部３０の下面に沿って延びる細長い突起によって形成され、下側脚部収容部３０の下面よりも下方に突出する。ガイド突起３２は、下側脚部１８（後側固定部２０）のガイド溝２５に挿入され、ガイド溝２５に沿って前，後方向にスライド移動可能となる。
【００４５】
そして、ガイド突起３２は、下側脚部１８のガイド溝２４，２５および前側移動部２９のガイド突起４１と共に、係合機構としての脚部係合機構３３を構成する。このため、脚部係合機構３３は、下側脚部１８と上側脚部２７との間に設けられ、下側脚部１８に対して上側脚部２７が前，後方向に移動可能な状態で互いに係合する。
【００４６】
また、ガイド突起３２は、後側回転部２８の前，後方向の中央部付近から後方に向けて延び、後側回転部２８の前部側には形成されない。これにより、後側回転部２８が下側脚部１８に対して後方に移動し、所定の後部位置に到達すると、ガイド突起３２が全て後側固定部２０のガイド溝２５から抜け出す。このとき、後側回転部２８と下側脚部１８とは非係合状態となり、後側回転部２８が回転移動可能となる。
【００４７】
図８および図９に示すように、後側回転部２８には、上，下方向（Ｚ軸方向）に延びるピン収容穴３４が形成される。ピン収容穴３４は、後側回転部２８の前部側に位置して下側脚部収容部３０の下面に開口する。ピン収容穴３４には、例えば略円柱状の係合ピン３５が上，下方向に移動可能に取付けられる。係合ピン３５は、下側脚部収容部３０の下面から突出すると共に、その突出端には、ガイド溝２４，２５に挿入可能な円筒状のガイドローラ３６が取付けられる。係合ピン３５の先端は、ガイドローラ３６よりも下方に向けて突出可能となる。
【００４８】
また、後側回転部２８には、一端側がピン収容穴３４に連通し、他端側が左，右方向の外側（右側の後側回転部２８では右側）に開口した窓部３７が形成される。窓部３７には、係合ピン３５に取付けられたレバー３８が挿入される。窓部３７は、上，下方向に延びる。これにより、係合ピン３５が上，下方向に移動したときには、レバー３８も窓部３７内で上，下方向に移動する。
【００４９】
そして、後側回転部２８が下側脚部１８に対して後方に移動し、所定の後部位置に到達すると、係合ピン３５と係合穴２６とが位置合わせされ、係合ピン３５は係合穴２６に挿入される。これにより、後側回転部２８は、係合穴２６に挿入された係合ピン３５を支点として回転移動可能となる。
【００５０】
図２ないし図８に示すように、後側回転部２８の上面には、上側に向けて突出した略円柱状のガイド突起３９が設けられる。ガイド突起３９は、引出し部１３の回転移動ガイド１６に挿入され、回転移動ガイド１６と共に回転移動ガイド機構４０を構成する。
【００５１】
後側回転部２８が所定の後部位置に到達すると、係合ピン３５が係合穴２６に挿入されるから、後側回転部２８は係合ピン３５によって回転可能に軸支される。このとき、回転移動ガイド機構４０により、後側回転部２８は、回転移動ガイド１６に沿って回転移動し、後側固定部２０に沿って前，後方向に延びる位置と、後側固定部２０と交差して左，右方向に延びる位置との間を移動する。
【００５２】
前側移動部２９は、天板１１のスライドガイド１２よりも前側に位置して、天板１１の下面に例えば接着等の接合手段によって固着される。前側移動部２９は、後側回転部２８のうち下側脚部収容部３０が設けられた前部側と略同じ高さ寸法を有する。また、前側移動部２９は、下側脚部１８に沿って前，後方向（Ｘ軸方向）に延びると共に、天板１１と下側脚部１８とに挟まれる。これにより、天板１１の前部は、前側移動部２９および下側脚部１８によって支持される。一方、天板１１の後部は、引出し部１３を介して後側回転部２８および下側脚部１８によって支持される。
【００５３】
前側移動部２９の下面には、後側回転部２８のガイド突起３２とほぼ同様なガイド突起４１が設けられる。後側回転部２８および前側移動部２９が下側脚部１８上で前，後方向に略直線状に並んだときには、ガイド突起３２，４１も略直線状に並ぶ。一方、前側回転部１９と後側固定部２０とが略直線状に並んだときには、ガイド溝２４，２５も略直線状に並ぶ。このとき、後側回転部２８および前側移動部２９は、ガイド溝２４，２５に沿って前，後方向にスライド移動可能となる。
【００５４】
本実施の形態による供試体台１０は上述のように構成されるものであり、次に供試体台１０を用いたノイズ測定について説明する。
【００５５】
まず、ターンテーブル５の回転中心（軸線Ｏ−Ｏ）上に天板１１の中心を合わせた測定条件（Ａ）における放射エミッションの測定を行う場合について説明する。図２、図４および図５に示すように、ターンテーブル５の回転中心上に天板１１の中心を合わせた状態で、供試体台１０をターンテーブル５上に載置する。次に、図１に示すように、供試体台１０の天板１１上にＥＵＴ６を載置する。この状態で、アンテナ３を上，下方向に走査したり、ターンテーブル５を回転させながら、ＥＵＴ６からの最大放射ノイズを、アンテナ３を用いて測定する。
【００５６】
ここで、測定条件（Ａ）の場合、天板１１の下側に、引出し部１３全体が収容される。また、下側脚部１８および上側脚部２７を、前，後方向に略直線状に並べる。さらに、下側脚部１８の上面全体を覆って、上側脚部２７を配置する。これにより、左，右の脚部１７は、いずれも前，後方向に広がった平板状をなし、その上側全体が天板１１によって覆われる。また、図４に示すように、左，右の前側回転部１９は、それぞれ前端面がターンテーブル５の軸線Ｏ−Ｏとほぼ同じ位置に配置される。
【００５７】
次に、測定条件（Ｂ）における放射エミッションの測定を行うために、供試体台１０を移動して、ターンテーブル５の回転中心上に天板１１の前縁を合わせる手順について説明する。
【００５８】
まず、第１工程として、図６ないし図８に示すように、左，右の後側回転部２８と一緒に引出し部１３を天板１１の後方に引き出す。このとき、脚部係合機構３３のガイド溝２５とガイド突起３２とによって後側回転部２８は左，右方向の変位が規制されているから、下側脚部１８に沿って真直ぐ後方に移動する。そして、後側回転部２８の後端支持部３１はターンテーブル５よりも後方にはみ出した位置に配置される。
【００５９】
また、スライドガイド１２とガイド突起１４とからなる天板係合機構１５によって、引出し部１３も左，右方向の変位が規制されている。このため、引出し部１３は、天板１１に略平行な状態で真直ぐ後方に移動する。そして、後側回転部２８が所定の後部位置まで移動すると、後側回転部２８の係合ピン３５が後側固定部２０の係合穴２６に位置合わせされ、係合ピン３５は、その重量によって係合穴２６内に落下する。このとき、ガイド突起３２全体がガイド溝２５から抜け出し、後側回転部２８は、脚部係合機構３３による係合状態が解除される。
【００６０】
次に、第２工程として、図１１ないし図１３に示すように、左，右の後側回転部２８を引出し部１３の回転移動ガイド１６に沿って回転移動させる。このとき、係合ピン３５は係合穴２６によって位置決めされているから、後側回転部２８は、係合ピン３５によって回転可能に軸支される。このため、後側回転部２８は、回転移動ガイド機構４０によって回転移動ガイド１６に沿って天板１１の中心側に向けて回転移動し、前，後方向から左，右方向に向けて斜めに傾斜した状態になる。これにより、後側回転部２８の後端支持部３１は再びターンテーブル５上に移動するから、後側回転部２８全体がターンテーブル５の範囲内に配置される。
【００６１】
なお、左，右の後側回転部２８は、その大きさによって天板１１の中心側で互いに干渉する。このため、左，右の後側回転部２８のうちいずれか一方は、ターンテーブル５の回転中心に近い内側に配置され、他方は外側に配置される。このとき、左，右の後側回転部２８のうちいずれを内側に配置してもよい。
【００６２】
次に、第３工程として、図１４ないし図１６に示すように、天板１１を前側移動部２９と一緒に後方に移動させる。このとき、脚部係合機構３３のガイド溝２４，２５とガイド突起４１とによって前側移動部２９は左，右方向の変位が規制されているから、下側脚部１８に沿って真直ぐ後方に移動する。このとき、引出し部１３は、後側回転部２８と回転移動ガイド機構４０とによって前，後方向の移動が規制される。このため、引出し部１３は、徐々に天板１１の下側に収容される。そして、前側移動部２９全体が下側脚部１８の後側固定部２０に移動すると、引出し部１３全体が天板１１に覆われる。このとき、天板１１の前側面１１Ｃは、ターンテーブル５の回転中心上に配置される。
【００６３】
次に、第４工程として、図１７ないし図１９に示すように、下側脚部１７の前側回転部１９を天板１１の中心側に向けて回転移動させる。そして、前側回転部１９が後側固定部２０と略直交した状態になると、第２の回転規制部２３によって前側回転部１９の回転変位が規制される。
【００６４】
以上の第１工程〜第４工程によって、供試体台１０の天板１１は、その前側面１１Ｃは、ターンテーブル５の回転中心上に配置されると共に、左，右の脚部１７が、ターンテーブル５の範囲内に配置され、かつ天板１１の下側に収容された状態になる。
【００６５】
この状態で、測定条件（Ａ）の場合と同様に、アンテナ３を上，下方向に走査したり、ターンテーブル５を回転させながら、供試体台１０上に載置したＥＵＴ６からの最大放射ノイズを、アンテナ３を用いて測定する。
【００６６】
なお、測定条件（Ｂ）から測定条件（Ａ）に変更する場合には、第１工程〜第４工程を逆に実行すればよい。ここで、第２工程から第１工程に移行するときには、窓部３７から突出したレバー３８を引き上げることによって、係合ピン３５を係合穴２６から抜き出せばよい。これにより、後側回転部２８は下側脚部１８に沿って前方に向けて移動可能となる。
【００６７】
かくして、本実施の形態では、天板１１は上側脚部２７と共に前，後方向に移動可能となるから、天板１１を前，後方向に移動させることによって、天板１１の中心をターンテーブル５の回転中心上に合わせた状態から、天板１１の前側面１１Ｃをターンテーブル５の回転中心上に合わせた状態に変更することができる。
【００６８】
また、上側脚部２７は、後側に位置して天板１１の中心側に向けて回転移動可能な後側回転部２８を備える構成とした。このため、上側脚部２７が天板１１と共に前，後方向に移動して、脚部１７の後側がターンテーブル５からはみ出すときでも、後側回転部２８を天板１１の中心側に向けて回転移動させることによって、上側脚部２７をターンテーブル５の範囲内に収めることができる。
【００６９】
さらに、下側脚部１８は、後側に位置して天板１１の中心側に向けて回転移動可能な前側回転部１９を備える構成とした。このため、上側脚部２７が天板と共に前，後方向に移動して、下側脚部１８の前側が天板１１よりも前方にはみ出すときでも、前側回転部１９を天板１１の中心側に向けて回転移動させることによって、下側脚部１８を天板１１の範囲内に収めることができる。
【００７０】
これにより、測定条件に応じて天板１１を前，後方向に移動させることができると共に、天板１１の中心をターンテーブル５の回転中心上から位置ずれさせたときでも、左，右の脚部１７をターンテーブル５の範囲内に収めることができる。このため、小型のターンテーブル５を用いるときでも、測定条件に応じて複数の供試体台を用意する必要がなくなる。これに加えて、測定条件に応じて供試体台１０を速やかに移動させることができると共に、単一の供試体台１０を用いて、２つの測定条件で放射エミッション等を容易に測定することができる。
【００７１】
また、天板１１の下面１１Ｂ側には、上側脚部２７の後側回転部２８と共に前，後方向に移動可能な引出し部１３を設けたから、上側脚部２７の後側回転部２８と引出し部１３を、天板１１および前側移動部２９とは別個に前，後方向に移動させることができる。このため、例えば天板１１から引出し部１３が後方に引き出された状態となるように、上側脚部２７の後側回転部２８を移動させることができ、この状態で引出し部１３の下側で回転移動ガイド１６に沿って後側回転部２８を回転移動させることができる。
【００７２】
これにより、天板１１から引き出された引出し部１３の下側で後側回転部２８を回転移動させることができるから、例えば天板１１上にＥＵＴ６が載置された状態であっても、後側回転部２８に作用するＥＵＴ６や天板１１の重量の影響を小さくすることができ、後側回転部２８を容易に回転移動させることができる。また、後側回転部２８の回転移動が終了した後に、天板１１および前側移動部２９を前，後方向に移動させることができ、後側回転部２８と一緒に移動させる場合に比べて、ＥＵＴ６の位置ずれを抑えることができる。
【００７３】
また、下側脚部１８と上側脚部２７との間には脚部係合機構３３を設けたから、脚部係合機構３３によって後側回転部２８の回転移動を規制した状態で、後側回転部２８を前，後方向に移動することができる。また、脚部係合機構３３は、上側脚部２７の後側回転部２８が下側脚部１８に対して後方に移動して所定の後部位置に配置されたときに、後側回転部２８と下側脚部１８とが非係合状態となるから、この状態で後側回転部２８を天板１１の中心側に向けて回転移動させることができる。
【００７４】
さらに、後側回転部２８には係合ピン３５を設けると共に、下側脚部１８には、後側回転部２８が所定の後部位置に配置されたときに、係合ピン３５が挿入される係合穴２６を設けたから、後側回転部２８は、係合穴２６に挿入された係合ピン３５を支点として回転移動させることができる。
【００７５】
これに加え、下側脚部１８は前側回転部１９と後側固定部２０とを備え、前側回転部１９と後側固定部２０とには第１の回転規制部２２を設ける構成とした。このため、第１の回転規制部２２によって前側回転部１９と後側固定部２０とが前，後方向に並んだ状態で前側回転部１９の回転変位を規制することができると共に、このように前側回転部１９と後側固定部２０とが前，後方向に並んだ状態でこれらに沿って上側脚部２７を前，後方向に移動させることができる。
【００７６】
なお、前記実施の形態では、天板１１に前，後方向に移動可能な引出し部１３を設ける構成としたが、引出し部１３を省く構成としてもよい。この場合、下側脚部１８に対して、後側回転部２８、前側移動部２９および天板１１を一緒に前，後方向に移動させると共に、天板１１の下面に回転移動ガイド１６を設けるものである。
【００７７】
また、後側回転部２８の回転移動を安定させるために、後側回転部２８と引出し部１３との間には、係合ピン３５と対応した位置に上側の回転支持機構を設ける構成としてもよい。
【００７８】
さらに、下側脚部１８に上側脚部２７を円滑に移動させるために、ガイド溝２４，２５の底面またはガイド突起３２，４１の下面にはローラ等を設けてもよい。
【符号の説明】
【００７９】
５  ターンテーブル
１０  供試体台
１１  天板
１３  引出し部
１６  回転移動ガイド
１７  脚部
１８  下側脚部
１９  前側回転部
２０  後側固定部
２２  第１の回転規制部（回転規制部）
２６  係合穴
２８  後側回転部
２９  前側移動部
３３  脚部係合機構（係合機構）
３５  係合ピン
【図１】
2013088175.tif 000003
【図２】
2013088175.tif 000004
【図３】
2013088175.tif 000005
【図４】
2013088175.tif 000006
【図５】
2013088175.tif 000007
【図６】
2013088175.tif 000008
【図７】
2013088175.tif 000009
【図８】
2013088175.tif 000010
【図９】
2013088175.tif 000011
【図１０】
2013088175.tif 000012
【図１１】
2013088175.tif 000013
【図１２】
2013088175.tif 000014
【図１３】
2013088175.tif 000015
【図１４】
2013088175.tif 000016
【図１５】
2013088175.tif 000017
【図１６】
2013088175.tif 000018
【図１７】
2013088175.tif 000019
【図１８】
2013088175.tif 000020
【図１９】
2013088175.tif 000021